(57)【特許請求の範囲】
【請求項１】
耐火構造材でなる耐火構造材柱と耐火構造材梁との接合構造であって、
前記耐火構造材柱は、荷重を支持するための、木質材からなる柱荷重支持層、
前記柱荷重支持層の外側に配置される柱燃え止まり層、及び、
前記柱燃え止まり層の外側に配置される木質材からなる柱燃えしろ層、を有し、
前記耐火構造材梁と接合される上端部には、前記柱燃え止まり層及び前記柱燃えしろ層とが設けられずに前記柱荷重支持層が露出する露出部を有し、
前記耐火構造材梁は、互いに対向する木質板材でなる一対の梁端板部と、前記一対の梁端板部の間に設けられ木質板材でなる梁内側木質部とが綴り材により一体化された梁荷重支持層と、
前記梁荷重支持層の外側に配置される梁燃え止まり層と、
前記梁燃え止まり層の外側に配置される木質材からなる梁燃えしろ層と、を有し、
前記梁荷重支持層の、前記耐火構造材柱と接合される先端部は、前記梁内側木質部の両側にて各々隣接する前記梁端板部と前記梁内側木質部とのうちの一方の、他方と対向する対向面に前記他方の対向面から離れる方向に凹設された２つの梁凹部を有しており、
前記耐火構造材梁に設けられた前記梁燃え止まり層のうちの、前記梁荷重支持層よりも下側に設けられた部分は、前記梁凹部と連続する部位を有さず、
前記露出部に対面させて当接される基板部と、前記基板部と交差する方向に突出する２つの突出板部とを有する鋼製の接合金具の前記基板部が前記露出部に固定され、前記柱燃えしろ層より外側に突出する前記２つの突出板部が、前記２つの梁凹部に各々挿入され、前記２つの突出板部を貫通する接合綴り材が前記一対の梁端板部間に亘って貫入されていることを特徴とする耐火構造材柱と耐火構造材梁との接合構造。
【請求項２】
請求項１に記載の耐火構造材柱と耐火構造材梁との接合構造であって、
前記接合金具の前記基板部は、前記柱荷重支持層を挟んで反対側に設けられる鋼製の裏板部材及び前記柱荷重支持層とともにボルトが貫通されており、
前記接合金具は、前記ボルトにナットが締め付けられることにより前記裏板部材とともに前記柱荷重支持層を挟持して固定されていることを特徴とする耐火構造材柱と耐火構造材梁との接合構造。
【請求項３】
請求項１に記載の耐火構造材柱と耐火構造材梁との接合構造であって、
前記接合金具は、前記柱荷重支持層を挟んで当該柱荷重支持層の両側にそれぞれ設けられ、各々の前記接合金具の前記基板部と前記柱荷重支持層とに貫通されたボルトにナットが締め付けられることにより２つの前記接合金具の前記基板部により前記柱荷重支持層を挟持して固定され
前記２つの接合金具が備える前記突出板部には、各々互いに異なる耐火構造材梁が接合されていることを特徴とする耐火構造材柱と耐火構造材梁との接合構造。
【請求項４】
請求項２に記載の耐火構造材柱と耐火構造材梁との接合構造であって、
前記耐火構造材柱の前記柱荷重支持層は、互いに対向する前記木質板材でなる一対の柱端板部と、前記一対の柱端板部の間に設けられ前記木質板材でなる柱内側木質部とが綴り材により一体化され、前記耐火構造材柱の小口から突出する突出部を有し、
前記耐火構造材柱は、
当該耐火構造材柱の上に配置され、荷重を支持して互いに対向する前記木質板材でなる一対の上柱端板部と、前記一対の上柱端板部の間に設けられ前記木質板材でなる上柱内側木質部とが綴り材により一体化された上柱荷重支持層、
前記上柱荷重支持層の外側に配置される上柱燃え止まり層、及び、
前記上柱燃え止まり層の外側に配置される木質材からなる上柱燃えしろ層、を有する上耐火構造材柱と接合され、
前記上耐火構造材柱は、前記耐火構造材柱と互いに小口を合わせて重ねられたときに、前記突出部が挿入されて、前記柱内側木質部と前記上柱内側木質部とが当接される挿入凹部を有し、
前記突出部が前記挿入凹部に挿入された状態で、前記一対の柱端板部のうちの少なくともいずれか一方の前記柱端板部と前記柱内側木質部との間及び前記一対の上柱端板部のうちの少なくともいずれか一方の前記上柱端板部と前記上柱内側木質部との間に、前記耐火構造材柱と前記上耐火構造材柱との間に亘って形成される空隙部に配置され、前記耐火構造材柱の前記小口より突出された前記柱内側木質部とともに前記突出部をなす鋼板を有し、
前記耐火構造材柱は、前記ボルトが前記鋼板を貫通し、
前記上耐火構造材柱は、前記鋼板を貫通する接合綴り材が前記一対の上柱端板部間に亘って貫入されていることを特徴とする耐火構造材柱と耐火構造材梁との接合構造。
【請求項５】
請求項４に記載の耐火構造材柱と耐火構造材梁との接合構造であって、
前記鋼板は、前記耐火構造材柱の上端部から、当該鋼板の面に沿って側方に延出された梁接合部を有し、
前記梁接合部に、
互いに対向する前記木質板材でなる一対の他の梁端板部と、前記一対の他の梁端板部の間に設けられ前記木質板材でなる他の梁内側木質部とが綴り材により一体化された他の梁荷重支持層と、
前記他の梁荷重支持層の外側に配置される他の梁燃え止まり層と、
前記他の梁燃え止まり層の外側に配置される木質材からなる他の梁燃えしろ層と、を有する前記耐火構造材でなる他の耐火構造材梁が接合されていることを特徴とする耐火構造材柱と耐火構造材梁との接合構造。
【請求項６】
請求項５に記載の耐火構造材柱と耐火構造材梁との接合構造であって、
前記他の耐火構造材梁は、一対の前記他の端板部と前記他の内側木質部との間に備えられ前記梁接合部が挿入される鋼板挿入部を備え、
前記一対の他の端板部間に亘り前記梁接合部を貫通する接合綴り材により接合されていることを特徴とする耐火構造材柱と耐火構造材梁との接合構造。
【請求項７】
請求項５または請求項６に記載の耐火構造材柱と耐火構造材梁との接合構造であって、
前記耐火構造材梁及び前記他の耐火構造材梁の上にスラブが形成されていることを特徴とする耐火構造材柱と耐火構造材梁との接合構造。
【請求項８】
請求項１乃至請求項７のいずれかに記載の耐火構造材柱と耐火構造材梁との接合構造であって、
前記耐火構造材梁の前記梁燃え止まり層には前記接合綴り材が挿通される燃え止まり層挿通孔が形成されており、
前記燃え止まり挿通孔には、燃え止まり機能を有する部材が封入されていることを特徴とする耐火構造材柱と耐火構造材梁との接合構造。
【請求項９】
請求項１乃至請求項８のいずれかに記載の耐火構造材柱と耐火構造材梁との接合構造であって、
前記耐火構造材梁の前記梁燃えしろ層には前記接合綴り材が挿通される燃えしろ層挿通孔が形成されており、
前記燃えしろ層挿通孔には、前記梁燃えしろ層と同じ材質の部材が封入されていることを特徴とする耐火構造材柱と耐火構造材梁との接合構造。
【請求項１０】
耐火構造材でなる耐火構造材柱と耐火構造材梁との接合方法であって、
荷重を支持するための、木質材からなる柱荷重支持層の第一側面に、基板部と、前記基板部と交差する方向に突出する２つの突出板部とを有する鋼製の接合金具の前記基板部を対面させて当接し、前記第一側面と前記柱荷重支持層を挟んで反対側に位置する第二側面に配置した裏板部材、前記基板部及び前記柱荷重支持層にボルトを貫通させて接合金具を固定し、前記接合金具が固定されている部位を除き、前記裏板部材が固定されている部位の外側を覆うとともに前記柱荷重支持層の外側に燃え止まり層を形成し、前記燃え止まり層の外側に燃えしろ層を形成して耐火構造材柱を形成する柱形成ステップと、
木質板材でなり対向する一対の梁端板部及び前記一対の梁端板部の間に設けられる梁内側木質部のうちの一方の、他方と対向する対向面に前記他方の対向面から離れる方向に凹設された梁凹部を、前記梁内側木質部の両側に位置するように各々形成し、前記一対の梁端板部と前記梁内側木質部とを積層し綴り材を貫入することにより一体化して荷重を支持するための梁荷重支持層を形成し、
前記梁荷重支持層の外側に配置される梁燃え止まり層と、
前記梁燃え止まり層の外側に配置される木質材からなる梁燃えしろ層と、を形成して前記耐火構造材梁を形成する梁形成ステップと、
前記２つの突出板部を各々の前記梁凹部に挿入して、前記２つの突出板部を貫通する接合綴り材を前記一対の梁端板部の間に亘らせて貫入する接合ステップと、
を有し、
前記耐火構造材梁に設けられた前記梁燃え止まり層のうちの、前記梁荷重支持層よりも下側に設けられた部分は、前記梁凹部と連続する部位を有さないことを特徴とする耐火構造材柱と耐火構造材梁との接合方法。
【発明の詳細な説明】
【技術分野】
【０００１】
本発明は、耐火構造材柱と耐火構造材梁との接合構造および耐火構造材柱と耐火構造材梁との接合方法に関する。
【背景技術】
【０００２】
耐火構造材柱と耐火構造材梁との接合構造として、荷重を支持する柱心材と、柱心材の外周を取り囲む燃え止まり層と、燃え止まり層の外周を取り囲む燃えしろ層とを備えた柱と、梁心材の梁長方向に沿って形成された縦溝に、荷重を支持する梁心材と、梁心材の側面と下面とを取り囲む燃え止まり層と、燃え止まり層の側面と下面とを取り囲む燃えしろ層とを備えた梁とを、連結板を介して接合する柱梁接合構造が知られている（たとえば、特許文献１参照）。この柱梁接合構造では、柱の燃え止まり層の側面から柱心材の中心に向かって形成された縦溝と、梁の端面に、梁心材の梁長方向に沿って形成された縦溝とに連結板が挿入されてドリフトピンにて梁と接合されています。
【先行技術文献】
【特許文献】
【０００３】
【特許文献１】特開２０１２−２１９５６０号公報
【発明の概要】
【発明が解決しようとする課題】
【０００４】
上記のような耐火構造材柱と耐火構造材梁との接合構造は、柱や梁に連結板を挿入するための縦溝を設けなければならない。特に、梁のような長尺の部材の小口に正確な溝を形成しなければならないので、作業が煩雑であり、また多くの時間を費やさなければならないという課題がある。
【０００５】
本発明はかかる従来の課題に鑑みてなされたものであり、その目的とするところは、施工が容易な耐火構造材柱と耐火構造材梁との接合構造および耐火構造材柱と耐火構造材梁との接合方法を提供することにある。
【課題を解決するための手段】
【０００６】
かかる目的を達成するための本発明の耐火構造材柱と耐火構造材梁との接合構造は、
耐火構造材でなる耐火構造材柱と耐火構造材梁との接合構造であって、
前記耐火構造材柱は、荷重を支持するための、木質材からなる柱荷重支持層、
前記柱荷重支持層の外側に配置される柱燃え止まり層、及び、
前記柱燃え止まり層の外側に配置される木質材からなる柱燃えしろ層、を有し、
前記耐火構造材梁と接合される上端部には、前記柱燃え止まり層及び前記柱燃えしろ層とが設けられずに前記柱荷重支持層が露出する露出部を有し、
前記耐火構造材梁は、互いに対向する木質板材でなる一対の梁端板部と、前記一対の梁端板部の間に設けられ木質板材でなる梁内側木質部とが綴り材により一体化された梁荷重支持層と、
前記梁荷重支持層の外側に配置される梁燃え止まり層と、
前記梁燃え止まり層の外側に配置される木質材からなる梁燃えしろ層と、を有し、
前記梁荷重支持層の、前記耐火構造材柱と接合される先端部は、前記梁内側木質部の両側にて各々隣接する前記梁端板部と前記梁内側木質部とのうちの一方の、他方と対向する対向面に前記他方の対向面から離れる方向に凹設された２つの梁凹部を有しており、
前記耐火構造材梁に設けられた前記梁燃え止まり層のうちの、前記梁荷重支持層よりも下側に設けられた部分は、前記梁凹部と連続する部位を有さず、
前記露出部に対面させて当接される基板部と、前記基板部と交差する方向に突出する２つの突出板部とを有する鋼製の接合金具の前記基板部が前記露出部に固定され、前記柱燃えしろ層より外側に突出する前記２つの突出板部が、前記２つの梁凹部に各々挿入され、前記２つの突出板部を貫通する接合綴り材が前記一対の梁端板部間に亘って貫入されていることを特徴とする耐火構造材柱と耐火構造材梁との接合構造である。
【０００７】
このような耐火構造材柱と耐火構造材梁との接合構造によれば、耐火構造材柱に固定された鋼製の接合金具の、柱燃えしろ層より外側に突出する２つの突出板部が、耐火構造材梁が有する２つの梁凹部に挿入されており、２つの突出板部を貫通する接合綴り材が一対の梁端板部間に亘って貫入されているので、２つの突出板部により梁内側木質部を挟持して耐火構造材柱と耐火構造材梁とを強固に接合することが可能である。また、耐火構造材梁の梁荷重支持層は、木質板材でなる一対の梁端板部と木質板材でなる梁内側木質部とが綴り材により一体化されて形成されているので、容易に形成することが可能である。また、耐火構造材柱と耐火構造材梁とを接合するために、耐火構造材柱に設けられた接合金具の突出板部が挿入される２つの梁凹部は、隣接する梁端板部と梁内側木質部とのうちの一方の、他方と対向する対向面に他方の対向面から離れる方向に凹設されているので、梁凹部を端板部又は内側木質部の側面に形成することが可能である。このため、長尺の梁の小口に溝を形成するよりも容易に正確な梁凹部を形成することが可能である。また、予め形成された梁凹部に鋼板を配置して接合綴り材を貫入するだけなので、容易に施工することが可能である。
【０００８】
かかる耐火構造材柱と耐火構造材梁との接合構造であって、
前記接合金具の前記基板部は、前記柱荷重支持層を挟んで反対側に設けられる鋼製の裏板部材及び前記柱荷重支持層とともにボルトが貫通されており、
前記接合金具は、前記ボルトにナットが締め付けられることにより前記裏板部材とともに前記柱荷重支持層を挟持して固定されていることが望ましい。
【０００９】
このような耐火構造材柱と耐火構造材梁との接合構造によれば、接合金具は柱荷重支持層を挟んで両側に配置される接合金具の基板部と裏板部材を貫通するボルトにナットを締め込んで固定するので、強固にかつ確実に固定することが可能である。
【００１０】
かかる耐火構造材柱と耐火構造材梁との接合構造であって、
前記接合金具は、前記柱荷重支持層を挟んで当該柱荷重支持層の両側にそれぞれ設けられ、各々の前記接合金具の前記基板部と前記柱荷重支持層とに貫通されたボルトにナットが締め付けられることにより２つの前記接合金具の前記基板部により前記柱荷重支持層を挟持して固定され
前記２つの接合金具が備える前記突出板部には、各々互いに異なる耐火構造材梁が接合されていることが望ましい。
【００１１】
このような耐火構造材柱と耐火構造材梁との接合構造によれば、柱荷重支持層を挟んで両側に設けられた接合金具の各基板部と柱荷重支持層とに貫通されたボルトにナットが締め付けられて固定された接合金具の突出板部に各々互いに異なる耐火構造材梁が接合されているので、裏板部材等の別の部材を用いること無く、２本の耐火構造材梁を耐火構造材柱に効率良く接合することが可能である。また、２つの接合金具は、基板部により柱荷重支持層を挟持して固定されているので、耐火構造材柱に強固に接合することが可能である。
【００１２】
かかる耐火構造材柱と耐火構造材梁との接合構造であって、
前記耐火構造材柱の柱荷重支持層は、互いに対向する前記木質板材でなる一対の柱端板部と、前記一対の前記柱端板部の間に設けられ前記木質板材でなる柱内側木質部とが綴り材により一体化され、前記耐火構造材柱の小口から突出する突出部を有し、
前記耐火構造材柱は、当該耐火構造材柱の上に配置され、
荷重を支持し、互いに対向する前記木質板材でなる一対の上柱端板部と、前記一対の上柱端板部の間に設けられ前記木質板材でなる上柱内側木質部とが綴り材により一体化された上柱荷重支持層、
前記上柱荷重支持層の外側に配置される上柱燃え止まり層、及び、
前記上柱燃え止まり層の外側に配置される木質材からなる上柱燃えしろ層、を有する上耐火構造材柱と接合され、
前記上耐火構造材柱は、前記耐火構造材柱と互いに小口を合わせて重ねられたときに、前記突出部が挿入されて、前記柱内側木質部と前記上柱内側木質部とが当接される挿入凹部を有し、
前記突出部が前記挿入凹部に挿入された状態で、前記一対の柱端板部のうちの少なくともいずれか一方の前記柱端板部と前記柱内側木質部との間及び前記一対の上柱端板部のうちの少なくともいずれか一方の前記上柱端板部と前記上柱内側木質部との間に、前記耐火構造材柱と前記上耐火構造材柱との間に亘って形成される空隙部に配置され、前記耐火構造材柱の前記小口より突出された前記柱内側木質部とともに前記突出部をなす鋼板を有し、
前記耐火構造材柱は、前記ボルトが前記鋼板を貫通し、
前記上耐火構造材柱は、前記鋼板を貫通する接合綴り材が前記一対の上柱端板部間に亘って貫入されていることが望ましい。
【００１３】
このような耐火構造材柱と耐火構造材梁との接合構造によれば、上下に位置する耐火構造材柱と上耐火構造材柱とを接合するために、耐火構造材柱と上耐火構造材柱との間に亘って鋼板が挿入される空隙部は、一対の柱端板部のうちの少なくともいずれか一方の柱端板部と柱内側木質部との間及び一対の上柱端板部のうちの少なくともいずれか一方の上柱端板部と上柱内側木質部との間に、柱端板部、柱内側木質部、上柱端板部及び上柱内側木質部のいずれかの側面に凹設されているので、長尺の柱の小口に溝を形成するよりも容易に正確な空隙部を形成することが可能である。また、予め形成さえた空隙部に鋼板を配置して接合綴り材を貫入するだけなので、容易に施工することが可能である。
【００１４】
かかる耐火構造材柱と耐火構造材梁との接合構造であって、
前記鋼板は、前記耐火構造材柱の上端部から、当該鋼板の面に沿って側方に延出された梁接合部を有し、
前記梁接合部に、
互いに対向する前記木質板材でなる一対の他の梁端板部と、前記一対の他の梁端板部の間に設けられ前記木質板材でなる他の梁内側木質部とが綴り材により一体化された他の梁荷重支持層と、
前記他の梁荷重支持層の外側に配置される他の梁燃え止まり層と、
前記他の梁燃え止まり層の外側に配置される木質材からなる他の梁燃えしろ層と、を有する前記耐火構造材でなる他の耐火構造材梁が接合されていることが望ましい。
【００１５】
このような接合構耐火構造材柱と耐火構造材梁との接合構造によれば、耐火構造材柱と上耐火構造材とを接合するための鋼板に設けられた、鋼板の面に沿って側方に延出された梁接合部に他の耐火構造材梁を接合するので、他の耐火構造材梁を接合するための部材を増やすこと無く他の耐火構造材梁を容易に接合することが可能である。
【００１６】
かかる耐火構造材柱と耐火構造材梁との接合構造であって、
前記他の耐火構造材梁は、一対の前記他の端板部と前記他の内側木質部との間に備えられ前記梁接合部が挿入される鋼板挿入部を備え、
前記一対の他の端板部間に亘り前記梁接合部を貫通する接合綴り材により接合されていることが望ましい。
【００１７】
このような耐火構造材柱と耐火構造材梁との接合構造によれば、他の耐火構造材梁に設けられた鋼板挿入部に梁接合部を挿入して接合綴り材を貫入するだけで容易に短時間で他の耐火構造材梁を接合することが可能である。
【００１８】
かかる耐火構造材柱と耐火構造材梁との接合構造であって、
前記耐火構造材梁及び前記他の耐火構造材梁の上にスラブが形成されていることが望ましい。
【００１９】
このような耐火構造材柱と耐火構造材梁との接合構造によれば、耐火構造材梁及び他の耐火構造材梁に支持されるスラブを形成することが可能である。また、耐火構造材梁及び他の耐火構造材梁の上面がスラブに覆われるので、より高い耐火性を備えることが可能である。
【００２０】
かかる耐火構造材柱と耐火構造材梁との接合構造であって、
前記耐火構造材梁の前記梁燃え止まり層には前記接合綴り材が挿通される燃え止まり層挿通孔が形成されており、
前記燃え止まり層挿通孔には、燃え止まり機能を有する部材が封入されていることが望ましい。
【００２１】
このような耐火構造材柱と耐火構造材梁との接合構造によれば、梁燃え止まり層は、接合綴り材が挿通される燃え止まり層挿通孔にも燃え止まり機能を有する部材が封入されているので、梁荷重支持層全体を隙間無く梁燃え止まり層で囲うことが可能である。このため、より耐火性の高い耐火構造材柱と耐火構造材梁との接合構造を実現することが可能である。
【００２２】
かかる耐火構造材柱と耐火構造材梁との接合構造であって、
前記耐火構造材梁の前記梁燃えしろ層には前記接合綴り材が挿通される燃えしろ層挿通孔が形成されており、
前記燃えしろ層挿通孔には、前記梁燃えしろ層と同じ材質の部材が封入されていることが望ましい。
【００２３】
このような耐火構造材柱と耐火構造材梁との接合構造によれば、梁燃えしろ層は、接合綴り材が挿通される燃えしろ層挿通孔にも梁燃えしろ層と同じ材質の部材が挿入されているので、梁燃え止まり層全体を隙間無く、単一の材質でなる梁燃えしろ層により囲うことが可能である。
【００２４】
また、  耐火構造材でなる耐火構造材柱と耐火構造材梁との接合方法であって、
荷重を支持するための、木質材からなる柱荷重支持層の第一側面に、基板部と、前記基板部と交差する方向に突出する２つの突出板部とを有する鋼製の接合金具の前記基板部を対面させて当接し、前記第一側面と前記柱荷重支持層を挟んで反対側に位置する第二側面に配置した裏板部材、前記基板部及び前記柱荷重支持層にボルトを貫通させて接合金具を固定し、前記接合金具が固定されている部位を除き、前記裏板部材が固定されている部位の外側を覆うとともに前記柱荷重支持層の外側に燃え止まり層を形成し、前記燃え止まり層の外側に燃えしろ層を形成して耐火構造材柱を形成する柱形成ステップと、
木質板材でなり対向する一対の梁端板部及び前記一対の梁端板部の間に設けられる梁内側木質部のうちの一方の、他方と対向する対向面に前記他方の対向面から離れる方向に凹設された梁凹部を、前記梁内側木質部の両側に位置するように各々形成し、前記一対の梁端板部と前記梁内側木質部とを積層し綴り材を貫入することにより一体化して荷重を支持するための梁荷重支持層を形成し、
前記梁荷重支持層の外側に配置される梁燃え止まり層と、
前記梁燃え止まり層の外側に配置される木質材からなる梁燃えしろ層と、を形成して前記耐火構造材梁を形成する梁形成ステップと、
前記２つの突出板部を各々の前記梁凹部に挿入して、前記２つの突出板部を貫通する接合綴り材を前記一対の梁端板部の間に亘らせて貫入する接合ステップと、
を有し、
前記耐火構造材梁に設けられた前記梁燃え止まり層のうちの、前記梁荷重支持層よりも下側に設けられた部分は、前記梁凹部と連続する部位を有さないことを特徴とする耐火構造材柱と耐火構造材梁との接合方法である。
【００２５】
このような耐火構造材柱と耐火構造材梁との接合方法によれば、耐火構造材梁の梁荷重支持層は、木質板材でなる一対の梁端板部と木質板材でなる梁内側木質部とを綴り材により一体化するので、接着して乾燥するような時間を必要とせず、短時間に形成することが可能である。また、耐火構造材柱と耐火構造材梁とを接合するために、耐火構造材柱に設けられ接合金具の２つの突出板部が挿入される２つの梁凹部を、いずれも隣接する梁端板部と梁内側木質部とのうちの一方の、他方と対向する対向面に他方の対向面から離れる方向に凹設して形成するので、梁凹部を端板部又は内側木質部の側面に形成することが可能である。このため、長尺の梁の小口に溝を形成するよりも容易に正確な梁凹部を形成することが可能である。また、予め形成された梁凹部及び挿入凹部に鋼板を配置して接合綴り材を貫入するだけなので、容易に施工することが可能である。
【発明の効果】
【００２６】
本発明によれば、施工が容易な耐火構造材柱と耐火構造材梁との接合構造および耐火構造材柱と耐火構造材梁との接合方法を提供することが可能である。
【図面の簡単な説明】
【００２７】
【図１】本発明にかかる耐火構造材の一実施形態を示す図である。
【図２】本実施形態の耐火構造材柱と耐火構造材梁との接合構造を示す斜視図である。
【図３】耐火構造材柱と耐火構造材梁との接合構造を示し積層方向に沿って破断した縦断面図である。
【図４】耐火構造材柱と耐火構造材梁との接合構造を示し積層方向と直交する方向に沿って破断した縦断面図である。
【図５】耐火構造材柱の正面と裏面とに耐火構造材梁を接合する接合構造を示す斜視図である。
【図６】耐火構造材柱の正面と裏面とに耐火構造材梁を接合する接合構造を示す縦断面図である。
【図７】本実施形態の耐火構造材柱と耐火構造材梁との接合方法を示す図である。
【発明を実施するための形態】
【００２８】
以下、本発明にかかる一実施形態について図面を参照しつつ詳細に説明する。
【００２９】
まず、耐火構造材梁と耐火構造材柱をなす本発明にかかる耐火構造材について説明する。
【００３０】
図1は、本発明にかかる耐火構造材の一実施形態を示す図である。本実施形態の耐火構造材１は、芯部をなし荷重を支持するための、木質材からなる荷重支持層２と、荷重支持層２の外側に配置される耐火材からなる燃え止まり層３と、燃え止まり層３の外側に配置される木質材からなる燃えしろ層４と、を備えている。
【００３１】
荷重支持層２は、断面略矩形状をなし、製材、集成材、ＬＶＬ等の板状をなす木質板材としての木質ブロック２１を複数積層し、積層されている積層方向に綴り材としてのビス５が貫入されて一体化されている。以下の説明においては、荷重支持層２を形成し、積層された複数の木質ブロック２１のうちの、積層方向において両端に位置する２枚の木質ブロック２１をそれぞれ端板部２１ａと称し、一対の端板部２１ａの間に位置する１枚以上の木質ブロック２１を内側木質部２１ｂと称する。すなわち、荷重支持層２は、一対の端板部２１ａ間に亘るビス５により一対の端板部２１ａと内側木質部２１ｂとが接合されて一体化されている。ここで、内側木質部２１ｂを構成する木質ブロック２１は、１枚でも、複数積層されていても構わない。
【００３２】
燃え止まり層３は、荷重支持層２の外周面を覆うように各々の面に耐火材としての石膏ボードがビスにより取り付けられている。ここで、燃え止まり層３を形成する部材は石膏ボードに限らず、例えば、高熱容量材であるモルタル、石材、ガラス、繊維補強セメント等の無機質材料、各種の金属材料の他、中空矩形断面の金属製のパイプ内に無機材料、液体金属、水、無機水和塩、消石灰等の蓄熱材料を充填して一体化したもの等であったり、断熱材である不燃木材、難燃処理材、珪酸カルシウム板、ロックウール、グラスウール等であったり、熱慣性の大きい木材であるセランガンバツ、ジャラ、ボンゴシ等であっても構わない。
【００３３】
燃えしろ層４は、荷重支持層２と同様のひき板や単板（ＬＶＬ）等からなる単材を複数集成した木質材が燃え止まり層３の外周面を覆うように各々の面に接着剤により取り付けられている。
【００３４】
本実施形態の耐火構造材１によれば、荷重支持層２が、積層された複数の木質ブロック２１にビス５が貫入されて一体化されて形成されているので、荷重支持層２を製造するために複数の木質ブロック２１同士を接着する必要がない。このため、専用の設備は必要とせず、安価で短時間で製造可能な、製造性に優れた耐火構造材１を提供することが可能である。
【００３５】
図２は、耐火構造材柱と耐火構造材梁との接合構造を示す斜視図である。図３は、耐火構造材柱と耐火構造材梁との接合構造を示し柱荷重支持層の積層方向に沿って破断した縦断面図である。図４は、耐火構造材柱と耐火構造材梁との接合構造を示し柱荷重支持層の積層方向と直交する方向に沿って破断した縦断面図である。
【００３６】
本耐火構造材１を梁及び柱として用いたときの耐火構造材柱と耐火構造材梁との接合構造を、耐火構造材柱の直行する２つの側面に耐火構造材梁が接合され、また耐火構造材柱を上下に接合している耐火構造材柱と耐火構造材梁との接合構造を例に挙げて説明する。以下の説明においては、下側の柱をなす耐火構造材柱を下耐火構造材柱６、上側の柱をなす耐火構造材柱を上耐火構造材柱７、耐火構造材柱が有する荷重支持層の木質ブロック２１の積層方向に接合される梁を第一耐火構造材梁８、第一耐火構造材梁８と直交する他の耐火構造材梁を第二耐火構造材梁９として説明する。また、下耐火構造材柱６、上耐火構造材柱７、第一耐火構造材梁８及び第二耐火構造材梁９を構成する端板部、内側木質部、荷重支持層、燃え止まり層及び燃えしろ層等の部位、部材には、下耐火構造材柱６、上耐火構造材柱７、第一耐火構造材梁８及び第二耐火構造材梁９と対応付けて、各名称の前に「下」「上」「第一」「第二」を付して説明する。例えば、下耐火構造材柱６を構成する端板部は下柱端板部６２ａ、上耐火構造材柱７を構成する端板部は上柱端板部７２ａ、第一耐火構造材梁８を構成する端板部は第一梁端板部８２ａ、第二耐火構造材梁９を構成する端板部は第二梁端板部９２ａと称して説明する。
【００３７】
本実施形態の耐火構造材柱６と耐火構造材梁８、９との接合構造では、下耐火構造材柱６と第一耐火構造材梁８とは鋼製の接合金具１０を用いて接合されており、下耐火構造材柱６と上耐火構造材柱７及び第二耐火構造材梁９とは、２枚の鋼板１１を用いて接合されている。
【００３８】
下耐火構造材柱６、上耐火構造材柱７、第一耐火構造材梁８及び第二耐火構造材梁９はいずれも耐火構造材１を製造する工程において、互いに接合可能な形状に形成されている。
【００３９】
下耐火構造材柱６は、その長手方向において、下柱燃えしろ層６４、下柱燃え止まり層６３、一対の下柱端板部６２ａより下柱内側木質部６２ｂが上方に突出するように形成され、一対の下柱端板部６２ａと下柱内側木質部６２ｂとの間から下柱端板部６２ａより突出している下柱内側木質部６２ｂの木質突出部６２ｄに沿うように、上耐火構造材柱７及び第二耐火構造材梁９と下耐火構造材柱６とを接合するための２枚の鋼板１１が配置されている。
【００４０】
下耐火構造材柱６の、下柱内側木質部６２ｂと隣接する一対の下柱端板部６２ａには各々、下柱内側木質部６２ｂと対向する対向面に下柱内側木質部６２ｂから離れる方向に凹設させて、鋼板１１が配置される下柱凹部６２ｃが形成されている。すなわち、鋼板１１は、一対の下柱端板部６２ａに形成された下柱凹部６２ｃにより形成される一対の下柱端板部６２ａと下柱内側木質部６２ｂとの間の空隙部１３に挿入されて一対の下柱端板部６２ａと下柱内側木質部６２ｂとの間に挟まれ下柱内側木質部６２ｂの先端まで設けられている。ここで、木質突出部６２ｄと鋼板１１において上方に突出している部位が、下耐火構造材柱６の突出部６ａに相当する。
【００４１】
また、鋼板１１には、下耐火構造材柱６の一対の下柱端板部６２ａと下柱内側木質部６２ｂとの間に配置される部位から水平方向における一方側に鋼板１１の面に沿って延出され、下柱燃えしろ層６４より側方に延出され、第二耐火構造材梁９が接合される梁接合部１１ａが設けられている。鋼板１１の一対の下柱端板部６２ａと下柱内側木質部６２ｂとの間に挟まれている部位、一対の下柱端板部６２ａ及び下柱内側木質部６２ｂには、後述する接合金具１０を固定するためのボルト１４が貫通する複数のボルト貫通孔６ｂが設けられている。また、鋼板１１の突出している部位及び木質突出部６２ｄには、下耐火構造材柱６と上耐火構造材柱７とを接合するための接合綴り材としてのドリフトピン１５が貫通される複数のピン貫通孔６２ｅ、１１ｂが設けられている。更に、鋼板１１の梁接合部１１ａには下耐火構造材柱６と第二耐火構造材梁９とを接合するためのドリフトピン１５が貫通される複数のピン貫通孔１１ｂが設けられている。
【００４２】
下耐火構造材柱６における下柱荷重支持層６２の木質ブロック２１が積層されている積層方向と直交する面をなす側面（以下、正面という）６ｃには、積層方向に沿って配置される第一耐火構造材梁８を接合するための鋼製の接合金具１０が設けられている。この接合金具１０は、下耐火構造材柱６において接合金具１０が配置される正面６ｃと反対側の側面（以下、裏面という）６ｄに設けられた鋼板製の裏板部材１６と下柱荷重支持層６２を挟持するようにボルト１４とナット１７により固定されている。
【００４３】
接合金具１０は、下柱荷重支持層６２の正面６ｃと対面させて当接される鋼板製の基板部１０ａと、基板部１０ａと略直交する方向に突出する鋼板製の２枚の突出板部１０ｂとが溶接されて形成されている。本実施形態において、接合金具１０が有する２枚の突出板部１０ｂの間隔は、第一耐火構造材梁８の第一梁内側木質部８２ｂの厚みと等しく設定されている。すなわち、下耐火構造材柱６と第一耐火構造材梁８とを接合したときには、２枚の突出板部１０ｂの間に第一梁内側木質部８２ｂが位置するように構成されている。
【００４４】
基板部１０ａには、一対の下柱端板部６２ａ及び下柱内側木質部６２ｂを積層方向に貫通するボルト１４が貫通する複数のボルト貫通孔１０ｃが設けられている。２枚の突出板部１０ｂには、下耐火構造材柱６と第一耐火構造材梁８とを接合するためのドリフトピン１５が貫通される複数のピン貫通孔１０ｄが設けられている。接合金具１０が下耐火構造材柱６に固定されたときに突出板部１０ｂの下柱燃えしろ層６４から突出する部位と、下耐火構造材柱６の側方に延出された梁接合部１１ａの下柱燃えしろ層６４から突出する部位とを同形状にすることにより、第一耐火構造材梁８と第二耐火構造材梁９との端部を同形状とすることが可能である。
【００４５】
裏板部材１６は、接合金具１０の基板部１０ａとほぼ同じ大きさをなし、基板部１０ａと同様に、接合金具１０を固定するためのボルト１４が貫通する複数のボルト貫通孔１６ａが設けられている。この裏板部材１６は、下柱荷重支持層６２の裏面側に位置する下柱端板部６２ａの外周側の面に正面６ｃ側に窪ませて形成された外周凹部６２ｆに配置されており、接合金具１０を固定するボルト１４が締め込まれたときにボルト１４の頭部が裏面６ｄ側の下柱燃え止まり層６３と干渉しないように外周凹部６２ｆが形成されている。このため、下柱荷重支持層６２の外側に設けられている下柱燃え止まり層６３及び下柱燃えしろ層６４は、接合金具１０の基板部１０ａが当接される部位、梁接合部１１ａが突出する部位、対向する梁接合部１１ａ間及びそれらの上方には設けられていない。また、裏板部材１６が当接される部位には、下燃え止まり層６３及び下柱燃えしろ層６４は、裏板部材１６およびボルト１４の頭部を覆うように設けられている。ここで、接合金具１０の基板部１０ａが当接される部位が露出部に相当する。
【００４６】
耐火構造材１でなる第一耐火構造材梁８は、下耐火構造材柱６と接合される端部に設けられ、第一梁内側木質部８２ｂと隣接する一対の第一梁端板部８２ａに各々、第一梁内側木質部８２ｂと対向する対向面に第一梁内側木質部８２ｂから離れる方向に凹設されて、接合金具１０の突出板部１０ｂが挿入される第一梁凹部８２ｃが形成されている。第一梁凹部８２ｃは、当該第一梁凹部８２ｃに嵌合される接合金具１０の突出板部１０ｂが第一梁内側木質部８２ｂを挟んで両側にそれぞれ設けられている。
【００４７】
耐火構造材１でなる第二耐火構造材梁９は、下耐火構造材柱６と接合される端部に設けられ、第二梁内側木質部９２ｂと隣接する一対の第二梁端板部９２ａに各々、第二梁内側木質部９２ｂと対向する対向面に第二梁内側木質部９２ｂから離れる方向に凹設されて、鋼板１１の梁接合部１１ａが挿入される鋼板挿入部としての第二梁凹部９２ｃが形成されている。第二梁凹部９２ｃは、当該第二梁凹部９２ｃに嵌合される鋼板１１の梁接合部１１ａが第二梁内側木質部９２ｂを挟んで両側にそれぞれ設けられている。
【００４８】
すなわち、本実施形態においては、第一耐火構造材梁８と第二耐火構造材梁９とは、長さは相違するが、下耐火構造材柱６と接合される端部の形状は同一である。
【００４９】
第一耐火構造材梁８及び第二耐火構造材梁９の上には、コンクリートが打設されてコンクリートスラブ１８が形成される。コンクリートスラブ１８の下面１８ａは第一耐火構造材梁８及び第二耐火構造材梁９の各荷重支持層８２、９２の上面、第一及び第二梁燃え止まり層８３、９３の上端及び第一及び第二梁燃えしろ層８４、９４の上端に当接して覆われている。
【００５０】
上耐火構造材柱７の下端部には、鋼板１１が取り付けられた下耐火構造材柱６の上方に突出している木質突出部６２ｄと下柱内側木質部６２ｂに沿って突出している鋼板１１とが挿入される挿入凹部７ａが形成されている。
【００５１】
挿入凹部７ａは、上耐火構造材柱７が、下耐火構造材柱６の上に配置されたときに、下耐火構造材柱６の下柱内側木質部６２ｂの上面が上耐火構造材柱７の上柱内側木質部７２ｂの下面に当接されるように上柱内側木質部７２ｂが一対の上柱端板部７２ａより短く形成されている。また、一対の上柱端板部７２ａには、互いに対向する上柱内側木質部７２ｂ側の対向面に互いに離れる方向に凹設させて、鋼板１１が配置される上柱凹部７２ｃが形成されている。
【００５２】
上耐火構造材柱７が、下耐火構造材柱６の上に配置された状態では、下柱凹部６２ｃと上柱凹部７２ｃとが繋がって形成される空隙部１３に鋼板１１が、下耐火構造材柱６と上耐火構造材柱７とに亘るように配置され、梁接合部１１ａが下耐火構造材柱６の下柱燃えしろ層６４より外側に突出している。下柱凹部６２ｃと上柱凹部７２ｃに鋼板１１が収容された部位には、鋼板１１を貫通する複数のドリフトピン１５が貫入されるピン貫通孔６２ｅ、７ｂが設けられており、各ピン貫通孔６２ｅ、７ｂに、一対の上柱端板部７２ａに亘るようにドリフトピン１５が貫入されていることにより下耐火構造材柱６と上耐火構造材柱７とが接合されている。
【００５３】
そして、第一耐火構造材梁８が下耐火構造材柱６の正面６ｃに当接されて第一耐火構造材梁８の第一梁凹部８２ｃに挿入された接合金具１０の突出板部１０ｂを貫通し、第一耐火構造材梁８の一対の第一梁端板部８２ａに亘るドリフトピン１５が貫入されて第一耐火構造材梁８と下耐火構造材柱６とが接合されている。また、第二耐火構造材梁９が下耐火構造材柱６の側面に当接されて第二耐火構造材梁９の第二梁凹部９２ｃに挿入された鋼板１１の梁接合部１１ａを貫通し、第二耐火構造材梁９の一対の第二梁端板部９２ａに亘るドリフトピン１５が貫入されて第二耐火構造材梁９と下耐火構造材柱６とが接合されている。また、上耐火構造材柱７が下耐火構造材柱６の上に載置され、挿入凹部７ａに突出部６ａが挿入されて上耐火構造材柱７の上柱凹部７２ｃに挿入された鋼板１１を貫通し、上耐火構造材柱７の一対の上柱端板部７２ａに亘るドリフトピン１５が貫入されて上耐火構造材柱７と下耐火構造材柱６とが接合されている。
【００５４】
また、第一梁燃え止まり層８３、第二梁燃え止まり層９３、上柱燃え止まり層７３にそれぞれ設けられ、ドリフトピン１５が挿通される燃え止まり層挿通孔３ａに、各燃え止まり層８３、９３、７３と同じ材質の封入部材３ｂがそれぞれ封入され、第一梁燃えしろ層８４、第二梁燃えしろ層９４、上柱燃えしろ層７４にそれぞれ設けられ、ドリフトピン１５が挿通される燃えしろ層挿通孔４ａに、各燃えしろ層８４、９４、７４と同じ材質の封入部材４ｂがそれぞれ封入されている。
【００５５】
本実施形態によれば、下耐火構造材柱６に固定された鋼製の接合金具１０の、下柱燃えしろ層６４より外側に突出する２つの突出板部１０ｂが、第一耐火構造材梁８が有する２つの第一梁凹部８２ｃに挿入されて２つの突出板部１０ｂを貫通するドリフトピン１５が一対の第一梁端板部８２ａ間に亘って貫入されているので、２つの突出板部１０ｂにより第一梁内側木質部８２ｂを挟持して下耐火構造材柱６と第一耐火構造材梁８とを強固に接合することが可能である。
【００５６】
本実施形態の下柱荷重支持層６２、上柱荷重支持層７２、第一梁荷重支持層８２及び第二梁荷重支持層９２は、木質ブロック２１が積層されてビス５により一体化されて形成されているので、容易に形成することが可能である。また、下耐火構造材柱６と第一耐火構造材梁８とを接合するために、下耐火構造材柱６に設けられた接合金具１０の突出板部１０ｂが挿入される第一梁凹部８２ｃは、第一梁端板部８２ａの第一梁内側木質部８２ｂと対向する対向面に第一梁内側木質部８２ｂの対向面から離れる方向に凹設されているので、第一梁凹部８２ｃを第一梁端板部８２ａの側面に形成することが可能である。また、下耐火構造材柱６と第二耐火構造材梁９とを接合するために、下耐火構造材柱６から側方に延出された鋼板１１の梁接合部１１ａが挿入される第二梁凹部９２ｃは、第二梁端板部９２ａの第二梁内側木質部９２ｂと対向する対向面に第二梁内側木質部９２ｂの対向面から離れる方向に凹設されているので、第二梁凹部９２ｃを第二梁端板部９２ａの側面に形成することが可能である。また、下耐火構造材柱６と上耐火構造材柱７とを接合するために、下耐火構造材柱６から上方に突出された鋼板１１の突出している部位が挿入される上柱凹部７２ｃは、上柱端板部７２ａの上柱内側木質部７２ｂと対向する対向面に上柱内側木質部７２ｂの対向面から離れる方向に凹設されているので、上柱凹部７２ｃを上柱端板部７２ａの側面に形成することが可能である。このため、長尺の柱の小口に溝を形成するよりも容易に正確な上柱凹部７２ｃを形成することが可能である。また、予め形成された第一梁凹部８２ｃ、第二梁凹部９２ｃ及び上柱凹部７２ｃに鋼板１１または接合金具１０の突出板部１０ｂを配置してドリフトピン１５を貫入するだけなので、容易に施工することが可能である。
【００５７】
また、接合金具１０は下柱荷重支持層６２を挟んで正面６ｃ側に配置される接合金具１０の基板部１０ａと裏面６ｄ側に配置される裏板部材１６とを貫通するボルト１４にナット１７を締め込んで固定されているので、強固にかつ確実に固定することが可能である。
【００５８】
また、第一梁燃え止まり層８３、第二梁燃え止まり層９３、上柱燃え止まり層７３にそれぞれ設けられた燃え止まり層挿通孔３ａには、各燃え止まり層８３、９３、７３と同じ材質の封入部材３ｂがそれぞれ封入されているので、第一梁荷重支持層８２全体、第二梁荷重支持層９２全体、及び、上柱荷重支持層７２全体を隙間無く第一梁燃え止まり層８３、第二梁燃え止まり層９３、上柱燃え止まり層７３で囲うことが可能である。このため、より耐火性の高い耐火構造材柱と耐火構造材梁との接合構造を実現することが可能である。
【００５９】
また、第一梁燃えしろ層８４、第二梁燃えしろ層９４、上柱燃えしろ層７４にそれぞれ設けられ、ドリフトピン１５が挿通される燃えしろ層挿通孔４ａには、各燃えしろ層８４、９４、７４と同じ材質の封入部材４ｂがそれぞれ封入されているので、第一梁燃え止まり層８３全体、第二梁燃え止まり層９３全体、及び、上柱燃え止まり層７３全体を隙間無く、単一の材質でなる第一梁燃えしろ層８４、第二梁燃えしろ層９４、上柱燃えしろ層７４で囲うことが可能である。
【００６０】
また、下耐火構造材柱６と上耐火構造材柱７とを接合するための鋼板１１が、第二耐火構造材梁９を接合するための梁接合部１１ａを備えているので、下耐火構造材柱６と上耐火構造材柱７とを接合するばかりでなく、他の部材を追加することなく第二耐火構造材梁９をも容易に接合することが可能である。
【００６１】
また、第一耐火構造材梁８に設けられた第一梁凹部８２ｃに突出板部１０ｂを挿入してドリフトピン１５を貫入するだけで、また、第二耐火構造材梁９に設けられた第二梁凹部９２ｃに梁接合部１１ａを挿入してドリフトピン１５を貫入するだけで、容易に短時間で第一耐火構造材梁８及び第二耐火構造材梁９と下耐火構造材柱６とを接合することが可能である。
【００６２】
また、第一及び第二耐火構造材梁８、９に支持させてコンクリートスラブ１８が形成されているので、第一及び第二耐火構造材梁８、９の上面がコンクリートスラブ１８に覆われる。このため、より高い耐火性を備えることが可能である。
【００６３】
上記実施形態においては、下耐火構造材柱６の正面６ｃ側に第一耐火構造材梁８を接合するための接合金具１０を裏面６ｄ側に設けた裏板部材１６とともに貫通するボルト１４とナット１７で下柱荷重支持層６２を挟んで締め付けることにより接合する例について説明したが、これに限るものではない。例えば、図５、図６に示すように、下耐火構造材柱６の正面６ｃ側と裏面６ｄ側とにそれぞれ接合金具１０を備えて、２本の耐火構造材梁８を接合する場合には、２つの接合金具１０の互いに他の接合金具１０の基板部１０ａを各々裏板部材としてボルト１４とナット１７により固定し、２つの接合金具１０が備える突出板部１０ｂに各々互いに異なる耐火構造材梁８を接合しても良い。この場合には、裏板部材を用いること無く、２本の耐火構造材梁８を下耐火構造材柱６に効率良く接合することが可能である。
【００６４】
次に本実施形態の耐火構造材柱と耐火構造材梁との接合方法について説明する。
【００６５】
図７は、耐火構造材梁と耐火構造材柱との接合方法を示す図である。
【００６６】
下耐火構造材柱６に第一耐火構造材梁８および第二耐火構造材梁９との接合は、接合金具１０と梁接合部１１ａが設けられた２枚の鋼板１１とが設けられ、突出部６ａが形成された下耐火構造材柱６を形成する柱形成ステップＳ１と、接合金具１０の突出板部１０ｂまたは梁接合部１１ａが挿入される第一または第二梁凹部８２ｃ、９２ｃを備えた第一及び第二耐火構造材梁８、９を形成する梁形成ステップＳ２と、下耐火構造材柱６と第一及び第二耐火構造材梁８、９とを接合する梁接合ステップＳ４と、を有している。本実施形態の場合には、上耐火構造材柱７が下耐火構造材柱６に接合されており、第一及び第二耐火構造材梁８、９上にコンクリートスラブ１８が設けられているので、上耐火構造材柱を形成する上柱形成ステップＳ３と、スラブ形成ステップＳ５と、下耐火構造材柱６と上耐火構造材柱７とを接合する柱接合ステップＳ６と、を有している。
【００６７】
柱形成ステップＳ１では、まず下柱荷重支持層６２を形成する複数の木質ブロック２１のうちの積層方向において両端に配置されて一対の下柱端板部６２ａをなす木質ブロック２１の、内側に配置される下柱内側木質部６２ｂをなす木質ブロック２１と対向する対向面に鋼板１１を配置するための下柱凹部６２ｃとを形成する。このとき、鋼板１１の厚みより僅かに薄く、下柱端板部６２ａの下柱内側木質部６２ｂ側の面を、上端から鋼板１１を挿入する長さに相当する分だけ切除する。
【００６８】
また、下耐火構造材柱６の裏面６ｄ側に配置される下柱端板部６２ａに接合金具１０を固定するために設けられる裏板部材１６が挿入される外周凹部６２ｆを形成する。外周凹部６２ｆは、当該外周凹部６２ｆと下耐火構造材柱６の下柱燃え止まり層６３の厚みとが、裏板部材１６の厚みと接合金具１０を固定するボルト１４の頭部の厚みよりも僅かに大きくなるように形成されている。
【００６９】
更に、一対の下柱端板部６２ａと下柱内側木質部６２ｂとに、接合金具１０を固定するボルト１４が貫通するボルト貫通孔６ｂを形成し、下柱内側木質部６２ｂの木質突出部６２ｄには、上耐火構造材柱７と接合するためのドリフトピン１５が貫入されるピン貫通孔７ｂを形成する。
【００７０】
次に、下柱内側木質部６２ｂの両側に下柱端板部６２ａを配置して積層し、下柱凹部６２ｃを避けてビス５により下柱内側木質部６２ｂと下柱端板部６２ａとを一体化して下柱荷重支持層６２を形成する。
【００７１】
次に、下柱荷重支持層６２の下柱凹部６２ｃに、その半分が先端側に突出するように鋼板１１を挿入する。尚、鋼板１１はドリフトピン１５を貫入する際に配置しても構わない。鋼板１１には、接合金具１０を固定するためにボルト１４が貫通するボルト貫通孔１１ｃと、第二耐火構造材梁９を固定するためのドリフトピン１５が貫入されるピン貫通孔１１ｂと上耐火構造材柱７を固定するためのドリフトピン１５が貫入されるピン貫通孔１１ｂとが設けられている。
【００７２】
次に、下柱荷重支持層６２の正面６ｃに接合金具１０の基板部１０ａを当接させ、裏面６ｄに設けられた外周凹部６２ｆに裏板部材１６を当接させて配置し、一対の下柱端板部６２ａ、下柱内側木質部６２ｂ、２枚の鋼板１１、基板部１０ａおよび裏板部材１６に設けられたボルト貫通孔にボルト１４を裏面６ｄ側から貫通させ正面６ｃ側からナット１７を螺合して締め付けて２枚の鋼板１１とともに接合金具１０を下柱荷重支持層６２に固定する。
【００７３】
次に、下柱荷重支持層６２の外周面には、接合金具１０が当接されている部位と、梁接合部１１ａが突出する部位と、対向する梁接合部１１ａ間及びそれらの上方とを除いて、石膏ボードをビスにより固定して下柱燃え止まり層６３を形成する。
【００７４】
次に、下柱燃え止まり層６３の外側に木質材を接着して下柱燃えしろ層６４を形成する。このとき、下柱燃え止まり層６３と同様に、接合金具１０が当接されている部位と、梁接合部１１ａが突出する部位と、対向する梁接合部１１ａ間及びそれらの上方とには、木質材を配置しない。
【００７５】
梁形成ステップＳ２では、第一耐火構造材梁８と第二耐火構造材梁９とを形成するが、形成方法は同じなので、ここでは第一耐火構造材梁８を例に挙げて説明する。
【００７６】
第一耐火構造材梁８は、まず、第一梁荷重支持層８２を形成する複数の木質ブロック２１のうちの積層方向において両端に配置されて一対の第一梁端板部８２ａをなす木質ブロック２１の、第一梁内側木質部８２ｂをなす木質ブロック２１と対向する対向面に接合金具１０の突出板部１０ｂを挿入するための第一梁凹部８２ｃを形成する。このとき、一対の第一梁端板部８２ａと第一梁内側木質部８２ｂとには、ドリフトピン１５が貫入されるピン貫通孔（不図示）を形成しておく。
【００７７】
次に、第一梁内側木質部８２ｂを一対の第一梁端板部８２ａの間に介在させて一対の第一梁端板部８２ａと第一梁内側木質部８２ｂとを積層し、第一梁凹部８２ｃを避けてビス５により第一梁内側木質部８２ｂと一対の第一梁端板部８２ａとを一体化して第一梁荷重支持層８２を形成する。
【００７８】
次に、第一梁荷重支持層８２の両側面と下面とに石膏ボードをビスにより固定して第一梁燃え止まり層８３を形成する。このとき、側面の石膏ボードと下面の石膏ボードとの間に隙間が生じないように、すなわち側面の石膏ボードと下面の石膏ボードとが互いに当接して石膏ボードが両側面と下面とにわたるように配置する。
【００７９】
次に、第一梁燃え止まり層８３の両側面と下面とに木質材を接着して第一梁燃えしろ層８４を形成する。このとき、側面の木質材と下面の木質材との間に隙間が生じないように、すなわち側面の木質材と下面の木質材とが互いに当接して木質材が両側面と下面とにわたるように配置する。
【００８０】
上柱形成ステップＳ３では、上柱荷重支持層７２を形成する複数の木質ブロック２１のうちの積層方向において両端に配置される一対の上柱端板部７２ａをなす木質ブロック２１の、内側に配置される上柱内側木質部７２ｂをなす木質ブロック２１と対向する対向面に鋼板１１を配置するための上柱凹部７２ｃを形成する。このとき、上柱端板部７２ａの上柱内側木質部７２ｂ側の面を、先端部分であって下耐火構造材柱６が接合される面側に挿入される鋼板１１の長さに相当する分だけ切除する。
【００８１】
次に、上柱内側木質部７２ｂの両側に上柱端板部７２ａを配置して積層し、上柱凹部７２ｃを避けてビス５により上柱内側木質部７２ｂと上柱端板部７２ａとを一体化して上柱荷重支持層７２を形成する。このとき、上柱内側木質部７２ｂの下端が、上柱端板部７２ａ、上柱燃え止まり層７３および上柱燃えしろ層７４の下端より、下耐火構造材柱６の突出部６ａの高さ分だけ高くなるように配置する。
【００８２】
次に、上柱荷重支持層７２の外側に石膏ボードをビスにより固定して上柱燃え止まり層７３を形成し、上柱燃え止まり層７３の外側に木質材を接着して上柱燃えしろ層７４を形成する。このように形成された上耐火構造材柱７の下端部には、下耐火構造材柱６の突出部６ａが挿入される挿入凹部７ａが形成される。また、上柱燃えしろ層７４が備えられた上耐火構造材柱７には、積層方向に貫通しドリフトピン１５が貫入されるピン貫通孔７ｂを形成しておく。
【００８３】
梁接合ステップＳ４では、梁形成ステップＳ２において形成した第一耐火構造材梁８と第二耐火構造材梁９とが施工現場に搬入され、下耐火構造材柱６が立てられた後に、下耐火構造材柱６に設けられた接合金具１０の突出板部１０ｂが、第一耐火構造材梁８の第一梁凹部８２ｃに挿入されるように第一耐火構造材梁８の端部を下耐火構造材柱６の正面６ｃに当接させ、一対の第一梁端板部８２ａ間に亘るようにドリフトピン１５を貫入して下耐火構造材柱６と第一耐火構造材梁８とを接合する。また、立てられた下耐火構造材柱６に設けられた鋼板１１の梁接合部１１ａが、第二耐火構造材梁９の第二梁凹部９２ｃに挿入されるように第二耐火構造材梁９の端部を下耐火構造材柱６の側面に当接させ、一対の第二梁端板部９２ａ間に亘るようにドリフトピン１５を貫入して下耐火構造材柱６と第二耐火構造材梁９とを接合する。
【００８４】
スラブ形成ステップＳ５では、第一耐火構造材梁８と第二耐火構造材梁９とを含み複数設けられている耐火構造材梁の間にコンクリートスラブ１８を形成するための型（不図示）を配設するとともに、耐火構造材梁上に耐火構造材梁の長手方向及び長手方向と略直交する方向に鉄筋を配筋する。次に、配設した型にコンクリートを打設してコンクリートスラブ１８を形成する。このとき、各耐火構造材梁８、９の上部がコンクリートスラブ１８により覆われることにより、各耐火構造材梁８、９の各荷重支持層８２、９２が、第一または第二梁燃え止まり層８３、９３、第一または第二梁燃えしろ層８４、９４がコンクリートスラブ１８により覆われる。
【００８５】
柱接合ステップＳ６では、下耐火構造材柱６の突出部６ａを上耐火構造材柱７の挿入凹部７ａに挿入し、ピン貫通孔７ｂにドリフトピン１５を貫入して下耐火構造材柱６と上耐火構造材柱７とを接合する。
【００８６】
最後に、第一耐火構造材梁８、第二耐火構造材梁９および上耐火構造材柱７の各燃え止まり層８３、９３、７３及び燃えしろ層８４、９４、７４に設けられ、ドリフトピン１５が挿通される燃え止まり層挿通孔３ａに各燃え止まり層８３、９３、７３と同じ材質の封入部材３ｂを封入し、燃えしろ層挿通孔４ａに、燃えしろ層８４、９４、７４と同じ材質の封入部材４ｂを封入する。
【００８７】
本実施形態の耐火構造材柱と耐火構造材梁との接合方法によれば、下耐火構造材柱６、上耐火構造材柱７、第一及び第二耐火構造材梁８、９の各梁荷重支持層６２、７２、８２、９２は、木質ブロック２１でなる一対の各端板部６２ａ、７２ａ、８２ａ、９２ａと木質ブロック２１でなる各内側木質部６２ｂ、７２ｂ、８２ｂ、９２ｂとをビス５により一体化するので、接着して乾燥するような時間を必要とせず、短時間に形成することが可能である。また、下耐火構造材柱６と第一耐火構造材梁８とを接合するために、下耐火構造材柱６に設けられ接合金具１０の突出板部１０ｂが挿入される第一梁凹部８２ｃは、第一梁端板部８２ａの、第一梁内側木質部８２ｂと対向する対向面に第一梁内側木質部８２ｂの対向面から離れる方向に各々凹設して形成するので、第一梁凹部８２ｃを第一梁端板部８２ａの側面に形成することが可能である。また、下耐火構造材柱６と第二耐火構造材梁９とを接合するために、下耐火構造材柱６に設けられ鋼板１１の梁接合部１１ａが挿入される第二梁凹部９２ｃは、第二梁端板部９２ａの、第二梁内側木質部９２ｂと対向する対向面に第二梁内側木質部９２ｂの対向面から離れる方向に各々凹設して形成するので、第二梁凹部９２ｃを第二梁端板部９２ａの側面に形成することが可能である。このため、長尺の梁の小口に溝を形成するよりも容易に正確な２つの梁凹部を形成することが可能である。また、予め形成さえた第一梁凹部８２ｃに突出板部１０ｂを挿入し、第二梁凹部９２ｃ及び挿入凹部７ａに鋼板１１を配置してドリフトピン１５を貫入するだけなので、容易に施工することが可能である。
【００８８】
上記実施形態においては、突出板部１０ｂが挿入される第一梁凹部８２ｃを一対の第一梁端板部８２ａに形成し、鋼板１１が挿入される第二梁凹部９２ｃ及び挿入凹部７ａを第二梁端板部９２ａおよび上柱端板部７２ａに形成した例について説明したが、いずれも対面する端板部と内側木質部とのいずれか一方に設けられていれば構わない。
【００８９】
また、上記実施形態においては、各燃え止まり層８３、９３、７３に形成されている燃え止まり層挿通孔３ａに、各燃え止まり層８３、９３、７３と同じ材質の封入部材３ｂを封入した例について説明したが、燃え止まり層挿通孔３ａには、燃え止まり機能を有する部材が封入されていれば、各燃え止まり層８３、９３、７３と同じ材質の部材でなくとも構わない。
【００９０】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００９１】
１  耐火構造材
２  荷重支持層
３  燃え止まり層
４  燃えしろ層
５  ビス（綴り材）
６  下耐火構造材柱
６ａ  突出部
６ｂ  ボルト貫通孔
６ｃ  正面
７  上耐火構造材柱
７ａ  挿入凹部
８  第一耐火構造材梁
９  第二耐火構造材梁
１０  接合金具
１０ａ  基板部
１０ｂ  突出板部
１０ｃ  ボルト貫通孔
１０ｄ  ピン貫通孔
１１  鋼板
１１ａ  梁接合部
１１ｂ  ピン貫通孔
１１ｃ  ボルト貫通孔
１３  空隙部
１４  ボルト
１５  ドリフトピン（接合綴り材）
１６  裏板部材
１６ａ  ボルト貫通孔
１７  ナット
１８  コンクリートスラブ
１８ａ  下面
２１  木質ブロック（木質板材）
２１ａ  端板部
２１ｂ  内側木質部
６２  下柱荷重支持層
６２ａ  下柱端板部
６２ｂ  下柱内側木質部
６２ｃ  下柱凹部
６２ｄ  木質突出部
６２ｅ  ピン貫通孔
６２ｆ  外周凹部
６３  下柱燃え止まり層
６４  下柱燃えしろ層
７２  上荷重支持層
７２ａ  上柱端板部
７２ｂ  上柱内側木質部
７２ｃ  上柱凹部
８２  第一梁荷重支持層
８２ａ  第一梁端板部
８２ｂ  第一梁内側木質部
８２ｃ  第一梁凹部
８３  第一梁燃え止まり層
８４  第一梁燃えしろ層
９２  第二梁荷重支持層
９２ａ  第二梁端板部
９２ｂ  第二梁内側木質部
９２ｃ  第二梁凹部（鋼板挿入部）
９３  第二梁燃え止まり層
９４  第二梁燃えしろ層
【図１】
0006592959.tif 000002
【図２】
0006592959.tif 000003
【図３】
0006592959.tif 000004
【図４】
0006592959.tif 000005
【図５】
0006592959.tif 000006
【図６】
0006592959.tif 000007
【図７】
0006592959.tif 000008